(57)【要約】【課題】サイズが大きくなりにくい鏡装置を提供する。【解決手段】鏡装置１は、鏡２と、サッシ３と、光源４０と、を備える。サッシ３は、導光部材により形成され、前片３１、中片３２及び後片３３を有し内部に鏡２の端部が挿入される溝３０を有する。光源４０は、サッシ３に光を入射させる。【選択図】図２
2020121060.tif 000002
【特許請求の範囲】
【請求項１】
鏡と、
導光部材により形成され、前片、中片及び後片を有し内部に前記鏡の端部が挿入される溝を有するサッシと、
前記サッシに光を入射させる光源と、を備える
鏡装置。
【請求項２】
前記サッシの前記溝方向の端部を覆うカバーを更に備え、
前記カバーに、前記サッシの前記溝方向の端部より光を入射させる前記光源を収容する
請求項１記載の鏡装置。
【発明の詳細な説明】
【技術分野】
【０００１】
本開示は、鏡装置に関するものである。
【背景技術】
【０００２】
従来、ミラーキャビネットが知られている（例えば特許文献１参照）。ミラーキャビネットは、鏡板及びこの鏡板を把持するサッシュを有するミラー扉と、照明具と、を備えている。照明具は、ミラー扉の上方に配置されている。
【先行技術文献】
【特許文献】
【０００３】
【特許文献１】特開２０１６−３４３５５号公報
【発明の概要】
【発明が解決しようとする課題】
【０００４】
特許文献に示される従来例にあっては、照明具はサッシュの上側に配置されるため、ミラーキャビネットの上下方向の長さが長くなってしまうものであった。
【０００５】
本開示は上記従来の問題点に鑑み、サイズが大きくなりにくい鏡装置を提供することを目的とするものである。
【課題を解決するための手段】
【０００６】
上記課題を解決するために、本開示に係る一形態の鏡装置は、鏡と、サッシと、光源と、を備える。前記サッシは、導光部材により形成され、前片、中片及び後片を有し内部に前記鏡の端部が挿入される溝を有する。前記光源は、前記サッシに光を入射させる。
【発明の効果】
【０００７】
本開示に係る鏡装置にあっては、サイズが大きくなりにくく、かつ、電線が見えにくく見栄えがよい。
【図面の簡単な説明】
【０００８】
【図１】図１Ａは、一実施形態に係る鏡装置の正面図である。図１Ｂは、同上の鏡装置の側面図である。
【図２】図２Ａは、同上の鏡装置の斜視図である。図２Ｂは、同上の鏡装置の分解斜視図である。
【図３】図３Ａは、同上の鏡装置が用いられる洗面化粧台の正面図である。図３Ｂは、同上の洗面化粧台の一部平面図である。
【図４】図４Ａは、同上の鏡装置に用いられるカバーの一方向より見た斜視図である。図４Ｂは、同上のカバーの他方向より見た斜視図である。図４Ｃは、同上のカバーの下面図である。
【図５】図５は、同上の鏡装置のカバーを含む部分を拡大した平面図である。
【発明を実施するための形態】
【０００９】
本開示は、鏡装置に関し、更に詳しくは、鏡、サッシ、光源を備える鏡装置に関するするものである。以下、鏡装置の一実施形態について図１〜図５に基いて説明する。
【００１０】
図１Ａ〜図２Ｂに示すように、鏡装置１は、鏡２と、サッシ３と、光源４０と（図４、図５参照）、を備える。本実施形態においては、鏡装置１は、洗面化粧台６に設けられる。まず、洗面化粧台６について説明する。
【００１１】
図３に示すように、洗面化粧台６は、洗面台６１を有する。洗面台６１には、上方に開口する洗面ボウル（不図示）が設けられている。洗面台６１の上面の後端部には、上方に突出した立ち上がり壁部６２が形成されている。立ち上がり壁部６２の前面部に、洗面ボウルに水を供給する給水部６３と、給水部６３から水を吐出するか否かを切り替えるための操作部６４が設けられている。立ち上がり壁部６２の上側に、キャビネット６５が配置される。洗面台６１、立ち上がり壁部６２及びキャビネット６５により洗面化粧台６が構成されている。
【００１２】
キャビネット６５は、キャビネット本体６６と、照明装置６７と、鏡扉６８と、を備えている。キャビネット本体６６は、前方に開口する箱状をしたもので、内部が収納空間となり、前開口を鏡扉６８が開閉可能に閉塞するものである。鏡扉６８が、本実施形態の鏡装置１を構成するもので、鏡装置１については後で詳述する。また、本実施形態では、キャビネット本体６６は複数（図３に示す例では三個）配置されている。なお、キャビネット本体６６は一つのみ設けられてもよい。鏡扉６８の間に、照明装置６７が配置されている。
【００１３】
照明装置６７は、例えば複数のＬＥＤ（Light Emitting Diode）等からなる発光源を有する基板を有する。なお、照明装置６７は、複数のＬＥＤ等の発光源を有するものに限定されない。
【００１４】
鏡装置１は、図２Ａ及び図２Ｂに示すように、鏡２を備える。鏡２は、本実施形態では、板状をしたガラスにより形成され、ガラスの後面に反射層を有し、ガラスの前方より入射した光を前方へと反射させる。鏡２は、正面視矩形状をしている。ここで、図３に示す洗面化粧台６において、紙面の手前の方を前方とすると共にその反対を後方とする。また、図３の紙面に向かって左の方を左方とすると共に右の方を右方とする。
【００１５】
サッシ３は、図２Ａ及び図２Ｂに示すように、前片３１、中片３２及び後片３３を有する。サッシ３は、導光部材により形成される。本実施形態では、サッシ３は樹脂により形成される。サッシ３は、鏡２の上端部及び下端部に取り付けられる。サッシ３は、前片３１、中片３２及び後片３３で囲まれた内部に、左右方向に伸びる溝３０を有する。上側のサッシ３の溝３０は下方に開口し、下側のサッシ３の溝３０は上方に開口する。サッシ３の溝３０に、鏡２の端部が挿入される。サッシ３の左右方向の長さは、鏡２の左右方向の長さより若干短く形成される。
【００１６】
前片３１は、鏡２の前面２１に対向して、鏡２の前面２１の前方への移動を規制する。前片３１は、鏡２の前面２１に常に接触している必要はない。後片３３は、鏡２の後面に対向して、鏡２の後面の後方への移動を規制する。後片３３は、鏡２の後面に常に接触している必要はない。中片３２は、前片３１と後片３３とを連結する。中片３２は、鏡２の上端面又は下端面に対向して、鏡２の上端面の上方への移動又は鏡２の下端面の下方への移動を規制する。下側のサッシ３においては、中片３２がサッシ３の荷重を支持する。
【００１７】
本実施形態では、上側のサッシ３と下側のサッシ３は、同じサッシ３である。すなわち、サッシ３の上下を反転させることで、鏡２の上端部と下端部とに同じサッシ３を取り付けることができる。サッシ３の後片３３と鏡２の後面は、接着剤により接着される。なお、サッシ３の後片３３の鏡２への取り付けは、接着ではなく、ビス止め等であってもよく、限定されない。これにより、サッシ３が鏡２に固定される。
【００１８】
本実施形態では、サッシ３の後面に蝶番１１が取り付けられる。具体的には、蝶番１１の一方の部材がサッシ３の後面に取り付けられ、蝶番１１の他方の部材がキャビネット本体６６に取り付けられる。蝶番１１のサッシ３及びキャビネット本体６６への取り付けは、接着剤による接着、ビス止め等により取り付けられ、限定されない。
【００１９】
光源４０は、サッシ３に光を入射させる。本実施形態では、サッシ３の溝３０方向の端部に、ＬＥＤからなる光源４０を有する基板４が配置される。光源４０から発せられた光は、導光部材からなるサッシ３の溝３０方向の端部（端面）より入射する。サッシ３の溝３０方向の端部より入射した光は、サッシ３の前面から照射される。すなわち、サッシ３及び光源４０は、面状発光装置からなる照明部として機能する。基板４は、電線４１を有している。電線４１は、基板４の後面より伸びている。
【００２０】
本実施形態では、光源４０を有する基板４は、上側のサッシ３にのみ設けられ、下側のサッシ３には取り付けられないが、光源４０を有する基板４が下側のサッシ３に設けられてもよい。
【００２１】
本実施形態では、鏡装置１はカバー５を更に備える。カバー５は、サッシ３の溝３０方向の端部を覆う。具体的には、カバー５は、サッシ３の左右方向の両端部をそれぞれ覆う。本実施形態では、カバー５はサッシ３の左右方向の両端部にそれぞれ配置されているが、カバー５はサッシ３の左右方向の一端部のみに配置されてもよい。
【００２２】
本実施形態では、図４Ａ〜図４Ｃに示すように、カバー５は、前覆い部５１と、中覆い部５２と、後覆い部５３と、を有する。カバー５は、樹脂により形成される。前覆い部５１は、前片３１の前面の溝３０方向の端部を覆う。中覆い部５２は、中片３２の溝３０方向の端部を覆う。上側のカバー５の中覆い部５２は、中片３２の上面を覆い、下側のカバー５の中覆い部５２は、中片３２の下面を覆う。後覆い部５３は、後片３３の後面の溝３０方向の端部を覆う。カバー５は、サッシ３の左右方向の端面に対応する部分に、端覆い部５４を有する。前覆い部５１、中覆い部５２、後覆い部５３及び端覆い部５４の厚みは特に限定されない。
【００２３】
また、本実施形態では、カバー５における、サッシ３の左右方向の端部に対応する部分には、左右方向に見た形状が、サッシ３と同じ形状をなすスペーサ部５５が形成されている。
【００２４】
カバー５は、電線４１を通す電線通路５０を有する。本実施形態では、カバー５は、前覆い部５１、中覆い部５２又は後覆い部５３の内面に電線通路５０となる電線溝５０１を有する。具体的には、前覆い部５１、中覆い部５２又は後覆い部５３の一部となるスペーサ部５５の表面に、電線溝５０１が形成されている。更に、電線溝５０１に連続して、後覆い部５３に対応するスペーサ部５５に貫通孔５０２が形成されている。電線溝５０１及び貫通孔５０２により、電線通路５０が構成されている。電線通路５０の一端（すなわち貫通孔５０２の一端）は、カバー５の後面に開口している。言い換えると、カバー５の後面に形成された開口５００が電線通路５０の一端を構成する。
【００２５】
以下に、鏡装置１の組み立て方法について説明する。図５に、カバー５にサッシ３の溝３０方向の端部が嵌め込まれた状態の平面図を示す。
【００２６】
まず、上側用のカバー５に光源４０が収容される。具体的には、カバー５内のスペーサ部５５の前側の部分に、光源４０がサッシ３の溝３０方向の端面と対向するように、基板４が配置される。基板４は、カバー５に接着等により取り付けられる。なお、下側用のカバー５には光源４０は収容されないが、下側用のカバー５に光源４０が収容されてもよい。
【００２７】
次に、図２Ｂに示す状態より、カバー５に、サッシ３の溝３０方向の端部が嵌め込まれる。サッシ３の左右方向の端部は、カバー５の端覆い部５４に形成されているスペーサ部５５の内面に当たる。基板４より伸びている電線４１は、電線通路５０を通されて、カバー５の後面の開口５００を介して導出される。
【００２８】
次に、サッシ３の溝３０及びカバー５に、鏡２の上端部が挿入される。サッシ３の後片３３と鏡２の後面が接着剤による接着やビス止め等により取り付けられ、サッシ３が鏡２に固定される。
【００２９】
次に、蝶番１１の一方の部材がサッシ３の後面に取り付けられ、蝶番１１の他方の部材がキャビネット本体６６に取り付けられる。これにより、鏡装置１からなる鏡扉６８が、キャビネット本体６６の前開口を開閉可能に閉塞する。
【００３０】
上述したように、本実施形態の鏡装置１にあっては、サッシ３が導光部材により形成されているため、鏡装置１のサッシ３と別に照明部（特に導光部材）を配置する必要がない。このため、サッシ３の上面に照明部をサッシ３とは別に配置するものと比較して、鏡装置１の上下長さが短くなる。また、サッシ３の前面に照明部（導光部材）をサッシ３とは別に配置するものと比較して、鏡装置１の前後長さが短くなる。このため、サイズが大きくなりにくい鏡装置１とすることができる。
【００３１】
また、カバー５は電線４１を通す電線通路５０を有し、電線通路５０の一端はカバー５の後面に開口している。このため、基板４から伸びる電線４１を、カバー５の電線通路５０を通してカバー５の外を通らずに、サッシ３の後側に導出することができ、電線４１が見えにくく見栄えがよい鏡装置１とすることができる。
【００３２】
また、電線通路５０が電線溝５０１を有するため、電線通路５０が孔である場合と比較して電線４１を通しやすい。
【００３３】
また、カバー５に光源４０が収容されるため、光源４０が見えにくく、見栄えがよい鏡装置１とすることができる。
【００３４】
次に、変形例について説明する。
【００３５】
上述した実施形態では、鏡装置１は、洗面化粧台６に設けられていたが、特に洗面設備を有しない化粧台、浴室内に設けられる鏡装置１等、様々なものに設けられ得る。
【００３６】
上述した実施形態では、洗面化粧台６は洗面台６１、立ち上がり壁部６２及びキャビネット６５により構成されていたが、洗面化粧台６は他の構成を備えてもよいし、立ち上がり壁部６２を備えなくてもよい。
【００３７】
キャビネット本体６６の形状、個数は限定されない。また、キャビネット本体６６の間に照明装置６７が配置されなくてもよい。
【００３８】
照明装置６７は、例えば、一又は複数のＬＥＤ等からなる発光源及び導光部材を有する面状発光装置であってもよい。また、照明装置６７は、蛍光灯や白熱電球からなるものであってもよい。
【００３９】
鏡２の形状、大きさ、厚み、材質は特に限定されない。例えば、鏡２が板状の金属により形成されてもよい。
【００４０】
サッシ３は、鏡２の左端部及び右端部に更に取り付けられてもよい。サッシ３は、樹脂により形成されず、木質材や金属等、他の材料により形成されてもよく、サッシ３の材質は限定されない。
【００４１】
光源４０は、ＬＥＤを有するものに限定されない。また、光源４０は、基板４に設けられるものでなくてもよい。
【００４２】
上述した実施形態では、サッシ３の左右方向の長さは、鏡２の左右方向の長さより若干短く形成されていたが、特に限定されない。例えば、鏡２の上端部の左端部及び右端部にそれぞれ、左右方向の長さが鏡２の左右方向の長さよりも短く形成されたサッシ３が取り付けられてもよい。鏡２の上端部及び下端部に取り付けられるサッシ３の個数も特に限定されない。また、サッシ３が、前片３１、中片３２及び後片３３に加えて更に別の構成を有してもよい。
【００４３】
上側のサッシ３と下側のサッシ３として、それぞれ別々のサッシを用いるようにしてもよい。
【００４４】
カバー５は、樹脂により形成されず、木質材や金属等、他の材料により形成されてもよく、カバー５の材質は限定されない。
【００４５】
鏡装置１の組み立て方法は一例であり、途中の作業の順序が適宜変更されてもよい。
【００４６】
以上、上述した実施形態及び変形例から明らかなように、第１の態様の鏡装置１は、鏡２と、サッシ３と、光源４０と、を備える。サッシ３は、導光部材により形成され、前片３１、中片３２及び後片３３を有し内部に鏡２の端部が挿入される溝３０を有する。光源４０は、サッシ３に光を入射させる。
【００４７】
第１の態様によれば、サッシ３が導光部材により形成されているため、鏡装置１のサッシ３と別に導光部材を配置する必要がなく、サイズが大きくなりにくい鏡装置１とすることができる。
【００４８】
第２の態様では、第１の態様との組み合わせにより実現され得る。第２の態様では、鏡装置１は、サッシ３の溝３０方向の端部を覆うカバー５を更に備える。カバー５に、サッシ３の溝３０方向の端部より光を入射させる光源４０を収容する。
【００４９】
第２の態様によれば、光源４０が見えにくく、見栄えがよい鏡装置１とすることができる。
【符号の説明】
【００５０】
１    鏡装置
２    鏡
３    サッシ
３０  溝
３１  前片
３２  中片
３３  後片
４０  光源
５    カバー
【図１】
2020121060.tif 000003
【図２】
2020121060.tif 000004
【図３】
2020121060.tif 000005
【図４】
2020121060.tif 000006
【図５】
2020121060.tif 000007